(57)【要約】【課題】ソフトクリーム吐出時のソフトクリーム注出口が適正に開くとともに、包装袋の製造が簡単になるようにし、簡易な構成の包装袋にソフトクリームを収容して、適正な吐出形状のソフトクリーム商品を提供する。【解決手段】二枚の包装材２を重ね合わせた包装袋１の袋底３に、底シール部５を分断するように切り欠いてなるソフトクリーム注出口６を位置させ、そのソフトクリーム注出口６の切り欠き形状を、ソフトクリーム注出口６の中心を通る縦中心線を中心とした線対称形状とされて、切り欠き辺１０それぞれが直線状であり、ソフトクリーム注出口６の収納領域部分に、隣り合う対の切り欠き辺１０からなる鋭角な角状部１１を少なくとも一つ有する形状に設けた。【選択図】    図２
2005170387.tif 000002
【特許請求の範囲】
【請求項１】
二枚の包装材を重ね合わせて対向する辺部をヒートシールして内部にソフトクリームを収容する包装袋であって、
袋底に、底シール部の中央を分断するように収納領域から底シール領域に亘る包装材を包装材重ね状態で切り欠いてなるソフトクリーム注出口が位置し、
袋偏平状態での前記ソフトクリーム注出口の切り欠き形状は、該ソフトクリーム注出口の中心を通る縦中心線を中心とした線対称形状とされて、切り欠き辺それぞれが直線状であり、
かつ、前記切り欠き形状は、ソフトクリーム注出口の収納領域部分に、隣り合う対の切り欠き辺からなる鋭角な角状部を少なくとも一つ有する形状に設けられていることを特徴とするソフトクリーム用包装袋。
【請求項２】
袋偏平状態での収納領域部分に位置する上記角状部を複数有し、角状部の間の切り欠き辺で形成される凹部と、角状部と底シール部との間の切り欠き辺で形成される凹部とがそれぞれ開角度を１８０度より大きくした請求項１に記載のソフトクリーム用包装袋。
【請求項３】
袋底において、収納領域と底シール領域との境界が上記ソフトクリーム注出口に向けて傾斜している請求項１または２に記載のソフトクリーム用包装袋。
【発明の詳細な説明】
【技術分野】
【０００１】
本発明はソフトクリーム供給装置にセットしてその供給装置の断面星形状にソフトクリームを注出できるようにしたソフトクリーム用包装袋に関するものである。
【背景技術】
【０００２】
近年、一人前の分量のソフトクリームを収納した収納袋をセットしてこの包装袋を機械力で押圧して収納袋よりソフトクリームを吐出させるようにしたソフトクリーム供給装置が開発され、装置自体が小型であることやメンテナンスが容易であることなどからコンビニエンスストアなどでも設置されるようになり、ソフトクリームがより身近に購入できるようになってきている。
また、ソフトクリームを収納して上記ソフトクリーム供給装置にセットする包装袋としては、包装袋を装置にて押圧したときにその包装袋の袋底からソフトクリームが突出するようにしたものが利用されており、その形態としては例えば特許文献１に示されているように、側板となる二枚の包装材の間に底板となる包装材を折り入れて、側板の包装材で対向する辺部同士をヒートシールするとともに、側板の包装材と底板の包装材との対向する辺部同士をヒートシールした形態のものが採用されている。そして、この形態の包装袋において、ソフトクリーム注出口を前記底板の包装材における折山中央となる部分に設け、吐出しソフトクリームの断面形状を星形にすることを目的として前記ソフトクリーム注出口の開口形状を星形にしていた。
【特許文献１】特開２００１−２４０１４８号公報（段落番号００１１、図２）
【発明の開示】
【発明が解決しようとする課題】
【０００３】
ところで、上述した底板を備えるタイプのソフトクリーム用収納袋では、ソフトクリーム供給装置にセットする前はその袋底が閉じた状態、即ち、底板の包装材が缶ら津折りの状態で流通し、そして冷凍保存されていて、袋底を開いてソフトクリーム注出口を保護しているカバーを取り外してから供給装置にセットしているが、包装材の戻り癖などによって袋底がほぼ元の折り合わされた状態になって装置内にセットされる。そして、押圧力が加えられて内部のソフトクリーム塊が軟化し降下してきたときにその圧力で底板の包装材が展開動作するようになるが、二つ折りされた内の一方の片面部分が起き上がるように展開し、他方の片面部分が不十分な展開状態となったままでその底板の包装材の展開が止まり、その状態でソフトクリーム注出口からソフトクリームが吐出し始めるという不都合がある。そして、底板の包装材が適正に展開したときにソフトクリーム注出口が星形に開口するようになっているため、不完全な形状の注出口からソフトクリームが吐出してしまい、吐出しているソフトクリームの断面形状が星形にならず、容器に受けたソフトクリームの商品性を低下させるという問題が生じていた。
【０００４】
また、上記包装袋を製造する場合でも、二枚の側板と一枚の底板との三パーツ構成となって材料コストを引き上げているとともに、ソフトクリーム注出口をカバーで覆ってから二つ折りした底板の包装材を、ソフトクリーム注出口の位置が確認できない状態で二枚の側板の包装材の間に配置しなければならず、前記ソフトクリーム注出口が包装袋の容器中心線上に確実に位置させるための製造管理に多大な手間を要するという不都合があった。
そこで本発明は上記事情に鑑み、ソフトクリーム吐出時のソフトクリーム注出口が適正に開くとともに、包装袋の製造が簡単になるようにすることを課題とし、簡易な構成の包装袋にソフトクリームを収容して、適正な吐出形状のソフトクリーム商品を提供できるようにすることを目的とするものである。
【課題を解決するための手段】
【０００５】
本発明は上記課題を考慮してなされたもので、二枚の包装材を重ね合わせて対向する辺部をヒートシールして内部にソフトクリームを収容する包装袋であって、袋底に、底シール部の中央を分断するように収納領域から底シール領域に亘る包装材を包装材重ね状態で切り欠いてなるソフトクリーム注出口が位置し、袋偏平状態での前記ソフトクリーム注出口の切り欠き形状は、該ソフトクリーム注出口の中心を通る縦中心線を中心とした線対称形状とされて、切り欠き辺それぞれが直線状であり、かつ、前記切り欠き形状は、ソフトクリーム注出口の収納領域部分に、隣り合う対の切り欠き辺からなる鋭角な角状部を少なくとも一つ有する形状に設けられていることを特徴とするソフトクリーム用包装袋を提要して、上記課題を解消するものである。
そして、本発明において、袋偏平状態での収納領域部分に位置する上記角状部を複数有し、角状部の間の切り欠き辺で形成される凹部と、角状部と底シール部との間の切り欠き辺で形成される凹部とがそれぞれ開角度を１８０度より大きくしたものとすることが可能であり、また、袋底において、収納領域と底シール領域との境界が上記ソフトクリーム注出口に向けて傾斜しているものとすることが可能である。
【発明の効果】
【０００６】
本発明によれば、二枚の包装材の重ね合わせによるものであるので、ソフトクリームの吐出に際して降下したソフトクリームからの圧力が、ソフトクリーム注出口回りでの二枚の包装材に同等に加わって押し広げられ、ソフトクリーム注出口が適正に開くようになる。また、展開したソフトクリーム注出口の周りにヒートシールにより硬さが増した底シール部が存在しているためにそのソフトクリーム注出口が補強され、圧力が加わったソフトクリームが通過してもその通過部分に対する削り効果が適正に生じて、ソフトクリームの吐出形状がより適正なものとなる。
また、二枚重ねした包装材の袋底を切り欠いているため、包装袋の製造が簡単なものとなる。
さらに、袋偏平状態での収納領域部分に位置する上記角状部を複数有し、角状部の間の切り欠き辺で形成される凹部と、角状部と底シール部との間の切り欠き辺で形成される凹部とがそれぞれ開角度を１８０度より大きくすることで、吐出するソフトクリームの断面形状においての突出した角状部分の形状が目立ち易くなり、容器に受けたときのソフトクリームの美観を高めるようになる。
そして、袋底において、収納領域と底シール領域との境界が上記ソフトクリーム注出口に向けて傾斜しているものとすることで、機械力により押し下げられるソフトクリームが確実にソフトクリーム注出口に集まるようになり、収納袋でのソフトクリームの残量を極力少なくすることができる。
【発明を実施するための最良の形態】
【０００７】
つぎに本発明を図１から図４に示す実施の形態に基づいて詳細に説明する。
図中１はソフトクリーム用包装袋で、該ソフトクリーム用包装袋１は同じ合成樹脂フィルムからなる二枚の包装材２を重ね合わせ、側面視での形状を袋底３が下方に凸となるものであり、相対する辺部同士をヒートシールして包装材２の間で形成された収納部４に図示しないソフトクリーム（塊）を収納するものである。なお、ソフトクリームの収納は、この包装袋１の上辺側から行われ、その収納後に袋上部がヒートシールされる。
【０００８】
そして、この包装袋１において、袋底３に、底シール部５の中央を分断するようにしてソフトクリーム注出口６が切り欠き形成されている。なお、この包装袋の製造段階で、ソフトクリーム注出口６が形成された後にカバーで取り外し可能に覆われるが、説明を容易にするためにそのカバーは図示していない。
このソフトクリーム注出口６は包装材２それぞれの収納領域（収納部４を形成する部分）７から底シール領域８に亘って包装材重ね合わせ状態で切り欠いてなるものであり、よってソフトクリーム注出口６での包装材２それぞれの切り欠き形状は同じとなっている。図３に示すように袋偏平状態でのソフトクリーム注出口の切り欠き形状は、ソフトクリーム注出口６の中心を通って袋高さ方向となる縦中心線９を中心とした線対称形状であって、前記収納領域７と底シール領域８とを切り込んでなる切り欠き辺１０はそれぞれ直線状としている。
【０００９】
さらに図示されているようにソフトクリーム注出口６の袋偏平状態での切り欠き形状は、二つの角状部１１を有するものとなっており、上記収納領域７の部分で、鋭角にして隣り合う対の切り欠き辺１０によってその角状部１１が形成されている。そして、ソフトクリーム吐出時に袋底の包装材２それぞれが押し広げられると、両包装材それぞれで二つずつの角状部１１を有するようにこのソフトクリーム注出口６が開口し、各角状部１１をソフトクリームが通ることで、角形状の尖った部分がソフトクリーム側に形成されるようになる。
【００１０】
また、本発明では吐出されるソフトクリームでの上記角形状の尖った部分がより際立つようにしている。この角形状の尖った部分が際立つようにするためにこの実施の例にあっては、ソフトクリーム注出口の中心点側に向けて包装材が凸となる部分を有していて、図示されているように角状部１１の間の切り欠き辺１０で形成される凹部１２と、角状部１１と底シール部５との間の切り欠き辺１０で形成される凹部１３とを有している。そして、この凹部１２、１３は、それぞれソフトクリーム注出口中心点側の開角度を１８０度より大きくしている。
このように開角度を１８０度より大きくした凹部１２、１３を備えているため、ソフトクリーム吐出に際して包装材２が押し広げられると、四方の角状部の間それぞれに、開口したソフトクリーム注出口中心側に向けて張り出る部分が形成されることとなり、この部分で吐出するソフトクリームを削る作用が生じるようになる。そのため上述したように吐出したソフトクリームにおいて角形状の尖った部分が際立つようになる。
【００１１】
この実施の形態ではソフトクリーム注出口６を袋底３の底シール部５を分断するように切り欠いていることから、ヒートシールによって硬くなっている底シール部５が、ソフトクリーム吐出に際して開口したソフトクリーム注出口６に達している状態となる。このように開口したソフトクリーム注出口６に硬い底シール部５が達しているため、ソフトクリーム注出口６が補強され、押し出されるソフトクリームからの押圧力によってソフトクリーム注出口６の開口形状が大きく崩れるという不都合を防ぐことができる。
さらに上述したように上記凹部１３が底シール部５にかかるようにして形成されているため、ソフトクリーム注出口６が開口したときにはその底シール部５の端部で支えられた突出部分１４が生じ、この突出部分１４で吐出するソフトクリームに対する削りを確実に行なえるようになる。
【００１２】
さらにこの実施の形態では、袋底３において、包装材２の収納領域７と底シール領域８との境界１５（即ち、ヒートシール部分と非ヒートシール部分の境）がソフトクリーム注出口６に向けて傾斜している。このように境界１５が傾斜していることから、ソフトクリーム吐出に際して袋底３の包装材２が押し開かれると、収納部４の袋底側がソフトクリーム注出口６を最下端とした略ロート状となり、スムーズにソフトクリームがそのソフトクリーム注出口６に案内されるようになり、包装袋を挟み込みながら降りる装置側の押し込み機構が下がるに従って順次ソフトクリームが吐出されるようになり、収納袋内でのソフトクリームの残量を極力少なくすることが容易になっている。
【００１３】
上記包装袋１の包装材２として、ナイロンフィルムにポリエチレン樹脂層（ヒートシール側）を設けた層構成のものを用い、図に示す各部の寸法、及びソフトクリーム注出口形成のための切り欠き面積を以下のようにして、上記凹部１２、１３の良好な開角度を検討した。
【００１４】
ａ＝１７０ｍｍ
ｂ＝１４５ｍｍ
ｃ＝３５ｍｍ
ｄ＝７５ｍｍ
ｅ＝１０ｍｍ
ｆ＝１５ｍｍ
ｇ＝１０ｍｍ
ソフトクリーム注出口形成切り欠き面積＝２ｃｍ2
【００１５】
上記検討の結果、凹部１２の開角度αを２３０度、凹部１３の開角度βを２１０度とした場合に、ソフトクリームの吐出断面形状が良好になることが確認できた。また、凹部１２、１３の開角度を前記角度より大きくした場合には、ソフトクリームの吐出断面形状のバランスがやや悪くなることが確認された。
また、凹部１２、１３の開角度をα＝２３０度、β＝２１０度として、上記ｅ、ｆ、ｇの寸法を変えながら、ソフトクリーム注出口形成切り欠き面積を検討したところ、５ｃｍ2までにおいて、ソフトクリーム吐出断面形状が最良であることが確認できた。
【００１６】
なお、上述の各寸法、角度は本発明を限定するものではない。
また、包装材の材質も上述の例に限定されるものではなく、例えばポリエチレンテレフタレートフィルムにポリエチレン樹脂層（ヒートシール側）を設けた層構成のものであってもよい。即ち、本発明の包装袋は二枚の包装材の重ね合わせを行ない所要部分をヒートシールし、ソフトクリーム注出口を切り欠き形成したものであるため、ヒートシール性や収納物に対する保護（ガスバリヤ性、紫外線遮断性など）に関する条件を満たすものから包装材を選択すればよいものである。
【図面の簡単な説明】
【００１７】
【図１】本発明に係るソフトクリーム用包装袋の一例を示す説明図である。
【図２】一例を一方の包装材の一部を切り欠いた状態で示す説明図である。
【図３】一例におけるソフトクリーム注出口を示す説明図である。
【図４】一例においてソフトクリーム注出口が開口した状態を示す説明図である。
【符号の説明】
【００１８】
１…ソフトクリーム用包装袋
２…包装材
３…袋底
４…収納部
５…底シール部
６…ソフトクリーム注出口
７…収納領域
８…底シール領域
１０…切り欠き辺
１１…角状部
１２、１３…凹部
１４…突出部分
１５…境界
【図１】
2005170387.tif 000003
【図２】
2005170387.tif 000004
【図３】
2005170387.tif 000005
【図４】
2005170387.tif 000006